(57)【特許請求の範囲】
【請求項１】
複数の分割コアを環状に配列して分割コア組立体を形成する分割コア組み立て装置であって、
複数の円弧状のガイドリング単位を組み合わせて構成され、且つ前記分割コア組立体のコア部分の外径を規定するガイドリングと、
該ガイドリング上に配置され、前記コア部分の軸方向に沿った一端部を規定する円盤状のホルダーベースと、
該ホルダーベース上に固定され、前記コア部分の内径を規定するガイドプレートと、
該ガイドプレートに締結され前記コア部分の軸方向に沿った他端部を規定するコア押さえ部材と、
を有し、
前記ガイドリングには外周面に沿って前記コア部分の軸方向に延びる突出部が設けられ、
前記複数のガイドリング単位の各々は拘束されずに自在に移動可能であり、
前記ガイドリングの突出部の内周面を前記コア部分の外側面に当接させて前記複数のガイドリング単位の位置決めを行う際、前記複数のガイドリング単位の各々の位置が微調整されることを特徴とする分割コア組み立て装置。
【請求項２】
前記コア押さえ部材の前記環状に配列された分割コアとの当接面には、周方向に沿って等間隔で、且つ放射状に延びる複数のスリットが設けられていることを特徴とする請求項１記載の分割コア組み立て装置。
【請求項３】
前記コア押さえ部材の前記複数のスリットのうち隣接するスリット相互で挟まれた部分によって、前記環状に配列された分割コアのうちの一の分割コアを押圧するように、前記スリット相互の間隔が規定されていることを特徴とする請求項２記載の分割コア組み立て装置。
【請求項４】
前記ガイドプレートには、前記分割コアを位置決めするための切欠部が設けられていることを特徴とする請求項１乃至３のいずれか１項に記載の分割コア組み立て装置。
【請求項５】
複数の円弧状のガイドリング単位を組み合わせて構成され、且つ分割コア組立体のコア部分の外径を規定するガイドリングと、該ガイドリング上に配置され、前記コア部分の軸方向に沿った一端部を規定する円盤状のホルダーベースと、該ホルダーベース上に固定され、前記コア部分の内径を規定するガイドプレートと、該ガイドプレートに締結され前記コア部分の軸方向に沿った他端部を規定するコア押さえ部材と、を有する分割コア組み立て装置を用いた分割コア組み立て方法であって、
前記ホルダーベース上に前記ガイドプレートを固定した連結体を、前記ガイドリングに載置し、
前記ガイドプレートに設けられた切欠部に基本となる分割コアを嵌合して位置決めし、
前記位置決めした基本分割コアに順次隣接するように前記ガイドプレートの外周面に沿って複数の分割コアを配列させ、
分割コア配列体の中央部に位置する前記ガイドプレートに前記コア押さえ部材を締結させて前記分割コア配列体を前記ホルダーベースに押圧して固定し、
その後、前記ガイドリングを取り除き、
前記ガイドリングには外周面に沿って前記コア部分の軸方向に延びる突出部が設けられ、
前記複数のガイドリング単位の各々は拘束されずに自在に移動可能であり、
前記ガイドリングの突出部の内周面を前記コア部分の外側面に当接させて前記複数のガイドリング単位の位置決めを行う際、前記複数のガイドリング単位の各々の位置が微調整されることを特徴とする分割コア組み立て方法。
【請求項６】
複数の分割コアを有する分割コア組立体の前記複数の分割コアにそれぞれ線材を巻き付ける巻線方法であって、請求項５記載の分割コア組み立て方法によって組み立てられた分割コア組立体を、一体型ステータコアに線材を巻き付ける巻線装置に装着して前記分割コア組立体の前記複数の分割コアに線材を巻き付けることを特徴とする分割コア組立体の巻線方法。
【発明の詳細な説明】
【技術分野】
【０００１】
本発明は、分割コア組み立て装置、分割コア組み立て方法及び巻線方法に関し、特に、回転電機のアウターロータ型のステータコアであって分割構造のコアを組み立てる分割コア組み立て装置、この装置を用いた分割コア組み立て方法及び分割コア組立体に線材を巻き付ける巻線方法に関する。
【背景技術】
【０００２】
ステータコアにコイル形成用の線材を巻き付ける巻線装置に関する公知文献として、例えば特許文献１が挙げられる。特許文献１は、ワーク芯部に線材を巻き付ける巻線装置に関するものであり、回転中心から一定間隔離れて位置する巻線ノズルを保持して回転することによってワーク芯部に対して巻線動作を行うフライアと、ワーク芯部の奥に向かう程ワーク芯部に接近する傾斜した軌跡に沿って巻線ノズルを送るノズル送り装置とを有する巻線装置が記載されている。
【０００３】
ところで、線材が巻き付けられるコアには、コア自体が複数に分割されたものがあり、複数に分割された分割状態のコアに対して線材を巻き付ける従来技術に関する公知文献として、例えば特許文献２〜４が挙げられる。
【０００４】
特許文献２は、複数の分割コアに線材を連続して巻き付ける巻線装置に関するものであり、その図１等に、複数に分割された分割コアを、治具に設けた分割コアセット部分にそれぞれセットし、分割コアセット部分を、分割コアと共に巻線作業位置まで順次個別に移動させた状態で治具全体を回転させ、これによって各分割コアに線材を順次個別に巻き付けるようにした巻線装置が記載されている。この巻線装置によれば、巻き付け速度の低下や設備費の増大を招くことなく、複数の分割コアに連続して線材を巻き付けることができるということである。
【０００５】
また、特許文献３は、分解ステータコアの巻線装置に関するものであり、駆動軸に取り付けられたステータコアを駆動軸によって１磁極分ステップ送りしながら、爪部間に線材を通して磁極部分に巻線を順次連続的に施す巻線装置であって、駆動軸の回転に同期して磁極単位に分割した各コア素子が相互に円周方向に所定範囲で可動となるように結合され一体に組み付けられたステータコアを部分的に順次外方に押し広げる手段を設けた分割ステータコアの巻線装置が開示されている。
【０００６】
図９は、特許文献３における分割ステータコアの巻線装置を示す図である。図９において、この巻線装置は、台座１１３に保持されたステータコア１０９をカム１１６の凸部分に当接しているローラ１１７を介して対応するロッド１１５がスライドすることによって、ステータコア１０９を部分的に外側に押し広げる機構を備えている。この巻線装置によれば、分割型のステータコアであっても、特殊な巻線装置を用いることなく、一般的な巻線装置によって各磁極部分に連続的に巻線を施すことができるということである。
【０００７】
また、特許文献４は、分割コア配列装置に関するものであり、その図３等に、コイルが巻かれた複数の分割コアを環状に配列する分割コア配列装置であって、複数の分割コアをそれぞれ保持する複数の分割コア保持治具と、隣り合う分割コア保持治具を回動可能に連結する連結手段とを備え、複数の分割コア保持治具を一列に展開及び環状に配列可能とした分割コア配列装置が記載されている。この分割コア配列装置によれば、環状に配列された分割コアを簡便に得ることができると共に、環状に配列された分割コアと環状のヨークとを組み合わせることによって簡便にステータを形成することができるということである。
【特許文献１】特開平０６−０５４４９３号公報
【特許文献２】特開２００３−３４８８０３号公報
【特許文献３】特開２００４−２７４９８０号公報
【特許文献４】特開２００６−３５２９６６号公報
【発明の開示】
【発明が解決しようとする課題】
【０００８】
しかしながら、上記従来技術のうち、特許文献１は、一体型のステータコアに線材を巻き付ける巻線機に関するものであり、複数の分割コアを組み合わせた分割コア組立体又はこれに線材を巻き付ける巻線機に関するものではない。また、特許文献２及び特許文献４は、分割コア組立体の各分割コアに線材を巻き付ける巻線技術に関するものであるが、分割コア組立体専用の巻線装置を必要とするものである。
【０００９】
一方、特許文献３は、分割コアを組み合わせたステータコアを部分的に外側に押し広げる手段を設けたものであり、これによって、押し広げた部分の巻線動作が容易となる。しかしながら、この巻線装置は、巻線を施す度にステータコアを部分的に押し広げる動作を繰り返す必要があるので装置構成だけでなく巻線工程そのものが煩雑となって巻線時間の短縮を図ることが困難であり、必ずしも満足できるものではなかった。
【００１０】
本発明の目的は、複数の分割コアを組み合わせた分割コア組立体に巻線を施すに際し、従来の一体型コアに適用される巻線装置をそのまま使用することができるように、分割コア組立体に要求される各寸法精度を簡単な装置及び方法で確保することができる分割コア組み立て装置、分割コア組み立て方法及び巻線方法を提供することにある。
【課題を解決するための手段】
【００１１】
上記目的を達成するために、請求項１記載の分割コア組み立て装置は、複数の分割コアを環状に配列して分割コア組立体を形成する分割コア組み立て装置であって、複数の円弧状のガイドリング単位を組み合わせて構成され、且つ前記分割コア組立体のコア部分の外径を規定するガイドリングと、該ガイドリング上に配置され、前記コア部分の軸方向に沿った一端部を規定する円盤状のホルダーベースと、該ホルダーベース上に固定され、前記コア部分の内径を規定するガイドプレートと、該ガイドプレートに締結され前記コア部分の軸方向に沿った他端部を規定するコア押さえ部材と、を有し、前記ガイドリングには外周面に沿って前記コア部分の軸方向に延びる突出部が設けられ、前記複数のガイドリング単位の各々は拘束されずに自在に移動可能であり、前記ガイドリングの突出部の内周面を前記コア部分の外側面に当接させて前記複数のガイドリング単位の位置決めを行う際、前記複数のガイドリング単位の各々の位置が微調整されることを特徴とする。
【００１２】
請求項２記載の分割コア組み立て装置は、請求項１に記載の分割コア組み立て装置において、前記コア押さえ部材の前記環状に配列された分割コアとの当接面には、周方向に沿って等間隔で、且つ放射状に延びる複数のスリットが設けられていることを特徴とする。
【００１３】
請求項３記載の分割コア組み立て装置は、請求項２記載の分割コア組み立て装置において、前記コア押さえ部材の前記複数のスリットのうち隣接するスリット相互で挟まれた部分によって、前記環状に配列された分割コアのうちの一の分割コアを押圧するように、前記スリット相互の間隔が規定されていることを特徴とする。
【００１４】
請求項４記載の分割コア組み立て装置は、請求項１乃至３のいずれか１項に記載の分割コア組み立て装置において、前記ガイドプレートには、前記分割コアを位置決めするための切欠部が設けられていることを特徴とする。
【００１６】
上記目的を達成するために、本発明に係る分割コア組み立て方法は、複数の円弧状のガイドリング単位を組み合わせて構成され、且つ分割コア組立体のコア部分の外径を規定するガイドリングと、該ガイドリング上に配置され、前記コア部分の軸方向に沿った一端部を規定する円盤状のホルダーベースと、該ホルダーベース上に固定され、前記コア部分の内径を規定するガイドプレートと、該ガイドプレートに締結され前記コア部分の軸方向に沿った他端部を規定するコア押さえ部材と、を有する分割コア組み立て装置を用いた分割コア組み立て方法であって、前記ホルダーベース上に前記ガイドプレートを固定した連結体を、前記ガイドリングに載置し、前記ガイドプレートに設けられた切欠部に基本となる分割コアを嵌合して位置決めし、前記位置決めした分割コアに順次隣接するように前記ガイドプレートの外周面に沿って複数の分割コアを配列させ、分割コア配列体の中央部に位置する前記ガイドプレートに前記コア押さえ部材を締結させて前記分割コア配列体を前記ホルダーベースに押圧して固定し、その後、前記ガイドリングを取り除き、前記ガイドリングには外周面に沿って前記コア部分の軸方向に延びる突出部が設けられ、前記複数のガイドリング単位の各々は拘束されずに自在に移動可能であり、前記ガイドリングの突出部の内周面を前記コア部分の外側面に当接させて前記複数のガイドリング単位の位置決めを行う際、前記複数のガイドリング単位の各々の位置が微調整されることを特徴とする。
【００１７】
上記目的を達成するために、本発明に係る巻線方法は、複数の分割コアを有する分割コア組み立て体の前記複数の分割コアにそれぞれ線材を巻き付ける巻線方法であって、請求項５記載の分割コア組み立て方法によって組み立てられた分割コア組立体を、一体型ステータコアに線材を巻き付ける巻線装置に装着して前記分割コア組立体の前記複数の分割コアに線材を巻き付けることを特徴とする。
【発明の効果】
【００１８】
本願の請求項１に係る分割コア組み立て装置によれば、分割コア組立体におけるコア部分の外径を規定するガイドリングと、このガイドリング上に配置されコア部分の軸方向に沿った一端部を規定するホルダーベースと、このホルダーベース上に固定され、コア部分の内径を規定するガイドプレートと、このガイドプレートに締結されコア部分の軸方向に沿った他端部を規定するコア押さえ部材と、を有するので、分割コア組立体におけるコア部分の外径及び内径を正確に規定することができ、分割コア組立体に要求される各寸法精度を簡単に確保することができる。また、各分割コア相互間の開度であるティース開度を正確に規定することができるので、複数の分割コアが精度良く配置された、巻線を施し易い分割コア組立体を形成することができる。さらに、ガイドリングを構成する複数のガイドリング単位の各々は拘束されずに自在に移動可能であり、ガイドリングの突出部の内周面をコア部分の外側面に当接させて複数のガイドリング単位の位置決めを行う際、複数のガイドリング単位の各々の位置が微調整されるため、ガイドリングが規定する分割コア組立体のコア部分の外径を正確且つ容易に調整することができる。
【００１９】
本願の請求項２に係る分割コア組み立て装置によれば、コア押さえ部材の分割コアとの当接面に複数のスリットが設けられているので、上記発明の効果に加え、各分割コアにおける高さのばらつきを吸収して押圧、固定することができる。
【００２０】
本願の請求項３に係る分割コア組み立て装置によれば、コア押さえ部材の複数のスリットのうち隣接するスリット相互で挟まれた部分によって一の分割コアを押圧するように、スリット相互間の間隔が規定されているので、上記発明の効果に加え、各分割コアの積層厚さのばらつきを吸収する効果がより確実に発揮される。
【００２１】
本願の請求項４に係る分割コア組み立て装置によれば、ガイドプレートに分割コアを位置決めするための切欠部が設けられているので、上記発明の効果に加え、分割コアを正確に位置決めして精度良く組み立てることができる。
【００２３】
本願の請求項５に係る分割コア組み立て方法によれば、ホルダーベース上にガイドプレートを固定した連結体を、ガイドリングに載置し、ガイドプレートに設けられた切欠部に基本となる分割コアを嵌合して位置決めし、位置決めした分割コアに順次隣接するようにガイドプレートの外周面に沿って複数の分割コアを配列させ、得られた分割コア配列体の中央部に位置するガイドプレートにコア押さえ部材を締結させて分割コア配列体をホルダーベースに押圧して固定し、その後、ガイドリングを取り除くようにしたので、分割コア組立体に要求される各寸法精度を簡単に確保することができる。例えばコア部分の外径寸法及び内径寸法だけでなく、分割コア相互間のティース開度が正確に規定された分割コア組み立て体を形成することができる。さらに、ガイドリングを構成する複数のガイドリング単位の各々は拘束されずに自在に移動可能であり、ガイドリングの突出部の内周面をコア部分の外側面に当接させて複数のガイドリング単位の位置決めを行う際、複数のガイドリング単位の各々の位置が微調整されるため、ガイドリングが規定する分割コア組立体のコア部分の外径を正確且つ容易に調整することができる。
【００２４】
本願の請求項６記載の巻線方法によれば、請求項５記載の分割コア組み立て方法によって組み立てられた分割コア組立体を、一体型コア用の巻線装置に装着して複数の分割コアに線材を巻きつけるようにしたので、専用の巻線装置を要することなく、分割コア組立体を構成する各分割コアに所望の巻線層をスムーズに形成することができる。
【発明を実施するための最良の形態】
【００２５】
以下、本発明の実施の形態を図面を参照しながら詳述する。
【００２６】
分割コアを組み立てた分割コア組立体に線材を巻き付ける際、従来の一体型のステータコアに適用される巻線装置を使用するためには、巻線工程までの前処理工程において、分割コア組立体に所定の正確な外径寸法及び内径寸法並びにティース開度を与えておく必要がある。
【００２７】
図１は、本実施の形態に係る分割コア組み立て装置の各構成部材を、分割コアの組み立て順序に従って順次組み付けた状態を示す分割コア組み立て装置の縦断面図である。
【００２８】
図１において、本実施の形態に係る分割コア組み立て装置は、分割コア組立体のコア部分１の外径寸法を規定するガイドリング２と、ガイドリング２上に配置され、コア部分１の軸方向に沿った一端を規定する円盤状のホルダーベース３と、ホルダーベース３上に固定され、コア部分１の内径寸法を規定するガイドプレート４と、ガイドプレート４の中央に設けられたねじ部に締結されガイドプレート４の外周面に沿って配列された複数の分割コアをホルダーベース３に押圧して固定するコア押さえ部材５とから主として構成されている。各構成部材は、例えば鉄、真鍮等からなる金属製である。
【００２９】
図２は、ガイドリング２の説明図であって、図２（Ａ）は、その平面図、図２（Ｂ）は、図２（Ａ）のＢ−Ｂ線に沿った部分断面図である。
【００３０】
図２（Ａ）、図２（Ｂ）において、ガイドリング２は、中心部が空いたリング状を呈しており、円周方向に沿って、例えば３等分された３個のガイドリング単位２ａから構成されている。３個のガイドリング単位２ａを組み合わせたガイドリング２は、その外周部に沿って軸方向（以下、スラスト方向ともいう）に突出するように配置された所定高さ、例えば高さ４〜６ｍｍの突出部２ｂが設けられている。突出部２ｂは、その内壁面によって分割コア組み立て体のコア部分１の外径を規定する。
【００３１】
ガイドリング２の各部の寸法は、形成される分割コア組立体の大きさによって異なるが、その外径は、例えば１３０〜１４０ｍｍ、内径は、例えば、１２０〜１３０ｍｍ、厚さは、例えば１２〜１５ｍｍである。図２において、ガイドリング単位２ａは、ガイドリング２を３等分したものとして示されているが、２等分又は４等分以上に分割されたものであってもよい。また、ガイドリング単位２ａは、等分されたものに限定されず、不等分に分割されたものであってもよい。
【００３２】
分割コアを組み立てる際、ガイドリング２は、例えば３個のガイドリング単位２ａをそれぞれ円弧方向に沿った両端部で隣接するように組み合わせることによって平面図上リング状に形成される。
【００３３】
図３は、ホルダーベース３の説明図であって、図３（Ａ）は平面図、図３（Ｂ）は図３（Ａ）のＢ−Ｂ線に沿った断面図である。図３（Ａ）及び図３（Ｂ）において、ホルダーベース３は、円盤状を呈しており、その中心部には、貫通孔３ａが設けられている。貫通孔３ａの回りには、貫通孔３ａとは所定の間隔を有する同心円上に等間隔に配置されたボルト用のねじ孔３ｂが、例えば８個等間隔に設けられている。
【００３４】
ホルダーベース３の各部の寸法は、組み立てられる分割コア組立体の大きさによって異なるが、その外径は、例えば８０〜９０ｍｍ、厚さは、例えば５〜１０ｍｍであり、その中心部に設けられた貫通孔３ａの直径は、例えば２０〜３０ｍｍである。
【００３５】
分割コアを組み立てる際、ホルダーベース３は、ガイドリング２に載置され、後述するガイドプレート４と固定され、コア部分１のスラスト方向の一端部を規定する。
【００３６】
図４は、ガイドプレート４の説明図であって、図４（Ａ）は、その平面図、図４（Ｂ）は、図４（Ａ）のＢ−Ｂ線に沿った部分断面図である。図４（Ａ）において、ガイドプレート４は略円盤状を呈している。ガイドプレート４には、その外周部の、例えば３箇所に切欠部４ａが設けられている。３個の切欠部４ａは、基本となる分割コアが嵌合される位置決め部として機能する。３個の切欠部４ａ相互間には、複数の突起４ｂが等間隔に設けられている。突起４ｂは、切欠部４ａに嵌合される基本分割コアに隣接して順次配置される複数の分割コア相互間の間隔を規定する。
【００３７】
ガイドプレート４の中心部には、貫通孔４ｃが設けられており、貫通孔４ｃは、図中上部が大径部となり、下部が大径部に連続する小径部となっている。貫通孔４ｃの回りには、貫通孔４ｃとは所定の間隔を有する同心円上に配置されたボルト用の貫通孔４ｄが、例えば８個等間隔に設けられている。各ボルト用の貫通孔４ｄは、上述したホルダーベース３に設けられたボルト用ねじ孔３ｂに重なるように対応している。
【００３８】
図４（Ｂ）において、貫通孔４ｃを含むコアガイドプレート４の中心部は、図中下方に突出しており、この突出部４ｅは、図３に示したコアホルダーベース３の中央に設けられた貫通孔３ａに嵌合する。
【００３９】
ガイドプレート４の各部の寸法は、組み立てられる分割コア組立体の大きさによって異なるが、その外径は、例えば６５〜７５ｍｍ、厚さは、例えば２０〜３０ｍｍであり、その中心部の貫通孔４ｃの大径部の直径は、例えば２０〜３０ｍｍ、小径部はＭ１６のねじ孔となっている。
【００４０】
分割コアを組み立てる際、ガイドプレート４は、図３のホルダーベース３上に載置され、例えば８個のボルト用貫通孔４ｄを貫通する例えば８本のボルトによってホルダーベース３に固定される。
【００４１】
図５は、コア押さえ部材５の説明図であり、図５（Ａ）は、その部分平面図、図５（Ｂ）は、側面図である。図５（Ａ）及び図５（Ｂ）において、コア押さえ部材５は、円盤状の押圧部５ａと、押圧部５ａの中心に設けられた把持部５ｂと、把持部５ｂの中心に、把持部５ｂ及び押圧部５ａの中心部を貫通するように設けられたボルト用の貫通孔５ｃとを有する。
【００４２】
押圧部５ａには、その外周に沿って所定幅、例えば２０度間隔に、所定長さのスリット５ｄが等間隔に放射状に複数設けられている。スリット５ｄの開口端に対向する閉塞端には、例えば３φの孔部が設けられている。押圧部５ａに複数のスリット５ｄを設けることによって、例えば隣接する二つのスリット５ｄで挟まれた一片の押圧部によってコア組立体を構成する一の分割コアが押圧されるようになり、各分割コアにおける高さのばらつきを有効に吸収することができる。
【００４３】
図５（Ｂ）において、押圧部５ａの図中下側面中央部には、ボルト用の貫通孔５ｃを含む突出部５ｅが設けられており、突出部５ｅは、図４のガイドプレート４の中心部に設けられた貫通孔４ｃの大径部に嵌合する。
【００４４】
コア押さえ部材５の各部の寸法は、組み立てられる分割コア組立体の大きさによって異なるが、押圧部５ａの外径は、例えば７０〜８０ｍｍであり、スリット５ｄのラジアル方法（半径方向）の長さは、例えば１０〜２０ｍｍであり、スリット幅は、例えば０．５〜１．０ｍｍである。
【００４５】
分割コアを組み立てる際、コア押さえ部材５は、貫通孔５ｃを貫通し、図４のガイドプレート４の貫通孔４ｃの小径部に設けられたねじ部に螺合する締結ボルト（図示省略）によってガイドプレート４に締結され、ガイドプレート４の外周部に沿って配置された複数の分割コアを図３のホルダーベース３に向かって押圧し、固定する。このように、コア押さえ部材５は、分割コア組立体を構成する複数の分割コアを安定に固定、保持するように機能する。
【００４６】
以下、本実施の形態に係る分割コア組み立て装置を用いた分割コアの組み立て方法について説明する。
【００４７】
図６は、本実施の形態に係る分割コア組み立て方法を示す説明図であり、図７は、そのフローチャートである。
【００４８】
図６及び図７において、分割コアの組み立てに際し、先ず、床面又は作業台上で、ガイドリング２の構成部材である例えば３個のガイドリング単位２ａを組み合わせてガイドリング２を形成する（ステップＳ１）。次に、ホルダーベース３上にガイドプレート４を重ねて、例えば８本のボルトによって両部材を固定、連結し、得られた連結体を図６（Ａ）に示したように、ガイドリング２上に載置する（ステップＳ２）。この場合、ガイドリング２とホルダーベース３とは特に固定されない。
【００４９】
次に、ガイドリング２に載置した連結体におけるガイドプレート４の、３箇所の切欠部４ａに、図６（Ｂ）に示したように、それぞれ基本分割コア（１ａ）を嵌合させ、位置決めする（ステップＳ３）。なお、基本分割コア１ａは、分割コアを配列させる際の位置決めとなるコアであり、その他の分割コアとは、ガイドプレート４の切欠部４ａに嵌合する形状部分を有している点においてのみ異なる。
【００５０】
３個の基本分割コア（１ａ）をガイドプレート４の切欠部４ａに嵌合して位置決めした後、ガイドリング２を構成するガイドリング単位２ａの位置を微調整してそれぞれガイドリング２の外周部の突出部２ｂの内周面を基本分割コア（１ａ）の外側面に当接して位置決めする（ステップＳ４）（図６（Ｂ）参照）。
【００５１】
次に、図６（Ｃ）に示したように、ガイドリング２の突出部２ｂの内壁面及びガイドプレート４の外周面に沿うように、３個の基本分割コア（１ａ）相互間に順次複数の分割コアを配列させる（ステップＳ５）。複数の分割コアを配列させた後、分割コア配列体の上面中央部にコア押さえ部材５を載置し、その中央に設けられたボルト用の貫通孔５ｃに締結ボルトを嵌挿させ、この締結ボルトによってコア押さえ部材５をガイドプレート４に締結し、これによって、図６（Ｄ）に示したように、コア押さえ部材５の押圧部５ａによってガイドプレート４の回りに配列された複数の分割コアを下方のホルダーベース３に向かって押圧し、固定する（ステップＳ６）。
【００５２】
コア押さえ部材５によって分割コアを押圧、固定した後、ホルダーベース３の下方に配置されたガイドリング２を分解して取り外し、図６（Ｅ）に示したような分割コア組み立て体１０を得る（ステップＳ７）。これによって、一連の分割コア組立体の組み立て操作を終了する。
【００５３】
図８は、本実施の形態によって形成された分割コア組立体を示す縦断面図である。図８において、分割コア組立体１０は、ガイドプレート４と、その外周面に沿って配列された複数の分割コアからなるコア部分１と、コア部分１の軸方向に沿った一端を規定するホルダーベース３及び他端を規定するコア押さえ部材５とから主として構成されている。
【００５４】
得られた分割コア組立体１０は、その上部に、例えばコアキャップが被せられた後、従来の一体型ステータコア用の巻線装置に装着され、一体型コアと同様にして各分割コアのティース部分に線材が巻き付けられる。
【００５５】
本実施の形態によれば、分割コア組み立て装置が、分割コア組立体１０のコア部分１の外径を規定する外径規定部材としてのガイドリング２及び内径規定部材としてのガイドプレート４と、分割コア組立体のスラスト方向の一端部を規定する端部規定部材としてのホルダーベース３及び他端部を規定する端部規定部材としてのコア押さえ部材５とを備えるので、部品点数が少なくても、複数の分割コアを環状に配列させた分割コア組立体の外径、内径及びティース開度を精度よく規定して、一体型のステータコアと同等の寸法精度を有する分割コア組立体を組み立てることができる。
【００５６】
本実施の形態によれば、コア押さえ部材５の押圧部５ａに周方向に沿って等間隔に配置され、放射状に延びる複数のスリット５ｄを設けたことにより、隣接するスリット５ｄ相互で挟まれた部分によって一の分割コアを押圧するように調整することができ、これによって、分割コア組み立て時における各分割コアの高さのばらつきを吸収することができる。
【００５７】
本実施の形態によれば、分割コア組立体の内径を規定するガイドプレート４の外周面に、分割コアを嵌合させるための切欠部４ａを設けたので、分割コア組み立て時の基本となる基本分割コア（１ａ）の位置決めを容易に、且つ正確に行うことができる。
【００５８】
本実施の形態によれば、分割コア組立体の外径を規定するガイドリング２を、例えば３分割可能な分割形式のものとしたので、分割コア組み立て開始時の基本分割コアの外側端部に対するガイドリング２の位置決め作業が容易となり、また、分割コアの組み立て終了時におけるガイドリング２の取り外しも容易となる。
【００５９】
本実施の形態に係る分割コア組み立て装置によって組み立てた分割コア組み立て体１０は、外径、内径及びティース開度が高精度に規定されるので、従来の一体型のステータコアに用いられる巻線装置をそのまま適用することができ、これによって、専用の巻線装置及び煩雑な巻線操作を不要として分割コア部分にスムーズに線材を巻き付けることができる。
【図面の簡単な説明】
【００６０】
【図１】本発明の実施の形態に係る分割コア組み立て装置の各構成部材を、分割コアの組み立て順序に従って順次組み付けた状態を示す分割コア組み立て装置の縦断面図である。
【図２】ガイドリングの説明図であって、図２（Ａ）は、その平面図、図２（Ｂ）は、図２（Ａ）のＢ−Ｂ線に沿った部分断面図である。
【図３】ホルダーベースの説明図であって、図３（Ａ）は平面図、図３（Ｂ）は図３（Ａ）のＢ−Ｂ線に沿った断面図である。
【図４】ガイドプレートの説明図であって、図４（Ａ）は、その平面図、図４（Ｂ）は、図４（Ａ）のＢ−Ｂ線に沿った部分断面図である。
【図５】コア押さえ部材の説明図であり、図５（Ａ）は、その部分平面図、図５（Ｂ）は、側面図である。
【図６】本発明の実施の形態に係る分割コア組み立て方法を示す説明図である。
【図７】本発明の実施の形態に係る分割コア組み立て方法を示すフローチャートである。
【図８】分割コア組立体の縦断面図である。
【図９】特許文献３における分割ステータコアの巻線装置を示す図である。
【符号の説明】
【００６１】
１      コア部分
１ａ    基本分割コア
２      ガイドリンング
２ａ    ガイドリング単位
２ｂ    突出部
３      ホルダーベース
３ａ    貫通孔
３ｂ    ボルト用のねじ孔
４      ガイドプレート
４ａ    切欠部
４ｂ    突起
４ｃ    貫通孔
４ｄ    ボルト用の貫通孔
４ｅ    突出部
５      コア押さえ部材
５ａ    押圧部
５ｂ    把持部
５ｃ    ボルト用の貫通孔
５ｄ    スリット
５ｅ    突出部
１０    分割コア組立体
１０９  ステータコア
１１３  台座
１１５  ロッド
１１６  カム
１１７  ローラ
【図１】
0005235367.tif 000002
【図２】
0005235367.tif 000003
【図３】
0005235367.tif 000004
【図４】
0005235367.tif 000005
【図５】
0005235367.tif 000006
【図７】
0005235367.tif 000007
【図８】
0005235367.tif 000008
【図９】
0005235367.tif 000009
【図６】
0005235367.tif 000010